(57)【要約】【課題】  テレビの方向を任意に変えることができて、入浴中のみならず、洗い場側からでも、また洗面室側からでも良好にテレビを見ることのできる浴室用テレビの設置構造を提供する。【解決手段】  テレビ９の右端あるいは左端に配線を通すことのできる回転軸を縦方向に設け、浴室１の壁６に設けた凹部８内に、テレビ９が壁６と面一となるように回転軸を回動可能に立設する。  また、凹部８の隣室側に開閉窓を設けて、テレビ９を回転軸を中心として隣室側へ回転させた時に、開閉窓を開けることにより、隣室側からもテレビ９が見られるように構成する。【選択図】  図１
2006109024.tif 000002
【特許請求の範囲】
【請求項１】
テレビの右端あるいは左端に、配線を通すことのできる回転軸を縦方向に設け、浴室の壁に設けた凹部内に、前記テレビが壁と面一となるように前記回転軸を回動可能に立設したことを特徴とする浴室用テレビの設置構造。
【請求項２】
前記壁が、浴室と隣室を仕切る壁であり、前記凹部は貫通されて隣室側に開閉窓が設けられ、前記テレビを前記回転軸を中心として前記隣室側へ回転させた時に、前記開閉窓を開けることにより、前記隣室側から前記テレビが見られるように構成したことを特徴とする請求項１に記載の浴室用テレビの設置構造。
【発明の詳細な説明】
【技術分野】
【０００１】
本発明は、浴室用テレビの設置構造に関するものである。
【背景技術】
【０００２】
従来、特許文献１に開示されているように、浴室と脱衣室との間の間仕切りパネルにテレビ収納部を設け、入浴しながらテレビ観賞できるように構成したものが存在する。
【特許文献１】特開平４−３３９９６９号公報
【発明の開示】
【発明が解決しようとする課題】
【０００３】
従来のような構造では、テレビを浴室内で入浴しながら良好に見ることができるが、洗い場側からはテレビが見難くなり、また脱衣室側からは全くテレビが見られないという問題点があった。
【課題を解決するための手段】
【０００４】
本発明は上記従来の問題点に鑑み案出したものであって、洗い場側からでも、また隣室側からでもテレビを良好に見ることのできる浴室用テレビの設置構造を提供するものであり、その請求項１は、テレビの右端あるいは左端に、配線を通すことのできる回転軸を縦方向に設け、浴室の壁に設けた凹部内に、前記テレビが壁と面一となるように前記回転軸を回動可能に立設したことである。
【０００５】
また請求項２は、前記壁が、浴室と隣室を仕切る壁であり、前記凹部は貫通されて隣室側に開閉窓が設けられ、前記テレビを前記回転軸を中心として前記隣室側へ回転させた時に、前記開閉窓を開けることにより、前記隣室側から前記テレビが見られるように構成したことである。
【発明の効果】
【０００６】
本発明の浴室用テレビの設置構造は、テレビの右端あるいは左端に回転軸を縦方向に設け、浴室の壁に設けた凹部内に、テレビが壁と面一となるように回転軸を回動可能に立設したことにより、浴室の壁にすっきりとした状態でテレビを設置することができ、また回転軸を中心として回動させてテレビの方向を変えることができ、洗い場側からでも良好にテレビを見ることができるものとなる。
【０００７】
また、壁が浴室と隣室を仕切る壁であり、凹部は貫通されて隣室側に開閉窓が設けられ、テレビを回転軸を中心として隣室側へ回転させた時に、開閉窓を開けることにより、隣室側からテレビが見られるように構成したことにより、回転軸を中心として回転させて隣室側へテレビを向け、開閉窓を開けることにより、隣室側からでも良好にテレビが見られることとなる。
【実施例】
【０００８】
以下、本発明の実施例を図面に基づいて説明する。
図１は、浴室の斜視構成図である。
浴室１内には、浴槽２と洗い場３が形成されており、洗い場３側にはカウンター４が設けられている。このカウンター４と反対側には、隣室とを仕切る間仕切壁６に入口ドア７が設けられ、間仕切壁６には、隣室側へ凹み状に凹部８が形成されており、この凹部８内にテレビ９が配置されて、テレビ９は間仕切壁６とほぼ面一状となるように設けられている。
【０００９】
このテレビ９は、後述する回転軸を介して水平面内で回転可能に構成されており、図１のように浴槽２内で入浴しながら良好にテレビ９を見ることができるとともに、図２に示すように、回転させることで向きを変えて、洗い場３側からでも良好にテレビ９を見ることができるように構成されている。
【００１０】
なお、図３は、洗い場３から見たテレビ９の設置状態を示すものであり、カウンター４の上方には鏡５が設けられており、また、間仕切壁６の凹部８内の隣室側には、横方向へスライドして開閉可能な開閉窓１０が設けられている。
また、開閉窓１０の上方には、嵌め殺し窓１１が固設されており、この嵌め殺し窓１１は、透明またはブラインド窓で構成されている。
【００１１】
テレビ９は、図４に洗い場側から見た斜視図で示すように、適宜水平面内で回転させて方向を変えることができ、更に回転させて、図５に示すように、隣室を構成する洗面室１４側にも回転させることができるように構成されている。
【００１２】
即ち、図６は、洗面室１４側から見た斜視構成図であり、洗面室１４側にテレビ９を回転させて配置させ、開閉窓１０を開けることにより、良好に洗面室１４側からテレビ９を見ることができ、また、音も良好に聞き取ることができるとともに、テレビ９の操作部を洗面室１４側からでも操作することができるものである。
【００１３】
なお、図６に示すように、洗面室１４に設置されている洗濯機１５の上方であって、開閉窓１０の下方側の壁面には、カゴ１６を設けておき、カゴ１６内に再生装置１７等を入れておくことができるものである。この再生装置１７は、テレビ９の外部入力で再生できる映像や音声を再生できる装置である。
【００１４】
なお、図７に示すように、テレビ９が浴室１側に向けられている状態で、開閉窓１０を開けることにより、凹部８が浴室１と洗面室１４を連通させる貫通状態となるため、凹部８内に洗濯機ホース１５ａを通して、浴槽２内の残り湯を良好に洗面室１４側の洗濯機１５内に流入させて、残り湯を洗濯機１５で利用することができるものとなる。
【００１５】
なお、間仕切壁６に浴室１と洗面室１４を貫通するように凹部８を設けて、その内部に回転軸１９を介して水平面内で回動可能にテレビ９を配置した平面拡大構成図を図８に示す。
また図９は、テレビ９を回転軸１９を中心として９０°回転させた状態であり、また図１０は、更に１８０°テレビ９を回転させて、テレビ９を洗面室１４側に向けた平面図である。
テレビ９は、プレート１８にビス等で固定されており、このプレート１８の裏側には、テレビの裏側の配線引出部を収納できる裏面カバー部１８ａが一体状に裏側へ突出して形成されており、この裏面カバー部１８ａの端部に連通状に回転軸１９が設けられている。
【００１６】
この回転軸１９は、図１１の分解斜視図で示すように、上端側のみが上方へ突出して中空状に形成されており、外周にはオーリング２０が嵌め込まれている。この上方へ突出した回転軸１９は、凹部８の上面を構成する中枠１３内に縦方向に設けられたガイド筒１３ａに、オーリング２０を介在させて水密状に回転可能に嵌め込まれるものである。
また、回転軸１９の下端側は同軸に軸孔１９ａが形成されており、この軸孔１９ａは、下枠１２から立設された立上軸１２ａに嵌め込まれるものであり、立上軸１２ａの外周にはオーリング２０が設けられ、このオーリング２０により嵌め込まれた状態の水密性が確保されるものである。
【００１７】
テレビ９の裏側から延びる配線ケーブル２１を、図１２に示すように、撓みが生ずる程度の長さに設定しておき、ケーブル２１をテレビ９の裏側からプレート１８の裏面カバー部１８ａ内を通して、更に軸孔１９ａを通して、立上軸１２ａ内から下枠１２の下方へ良好に配置させておくことができ、立上軸１２ａは立ち上げられているために、内部に水が浸入することがなく、良好に水密性が確保されて、ケーブル２１への水の付着等が防がれるものである。
このように、回転軸１９および軸孔１９ａは、中枠１３と下枠１２に回動可能に固定され、この回転軸１９，軸孔１９ａを中心として、良好にプレート１８を水平面内で回動させることができ、プレート１８とともにテレビ９を回動させて任意の方向に向けることができるものである。
【００１８】
なお、本例では、プレート１８の左端側に回転軸１９及び軸孔１９ａを設けたものを例示しているが、右端側に回転軸１９及び軸孔１９ａを設けた構成であっても良い。更には、プレート１８を無くしてテレビ９の裏側の右端あるいは左端の何れかに、このような回転軸１９，軸孔１９ａを設けて水平面内で回動可能に構成しても良い。
【図面の簡単な説明】
【００１９】
【図１】浴室内で入浴しながらテレビを見ている状態の浴室の斜視構成図である。
【図２】洗い場側からテレビを見ている状態の浴室の斜視構成図である。
【図３】浴室内の洗い場側から見たテレビの設置状態の斜視構成図である。
【図４】テレビを回転させて方向を変えた状態の斜視構成図である。
【図５】更に１８０°テレビを回転させた状態の斜視構成図である。
【図６】１８０°テレビを回転させてテレビを洗面室側へ向けた状態の洗面室側から見た斜視構成図である。
【図７】開閉窓を開けて浴室側から洗面室側へ洗濯機ホースを通した状態の斜視構成図である。
【図８】テレビと開閉窓の設置状態の平面拡大構成図である。
【図９】図８の状態からプレートを介しテレビを９０°回転させた状態の平面拡大構成図である。
【図１０】更にテレビを１８０°回転させた状態の平面拡大構成図である。
【図１１】テレビを取り付けるプレートの分解斜視構成図である。
【図１２】プレートを下枠と中枠間に回動可能に嵌め込んだ状態の正面構成図である。
【符号の説明】
【００２０】
１  浴室
２  浴槽
３  洗い場
６  間仕切壁
７  入口ドア
８  凹部
９  テレビ
１０  開閉窓
１１  嵌め殺し窓
１２  下枠
１２ａ  立上軸
１３  中枠
１３ａ  ガイド筒
１４  洗面室
１５  洗濯機
１５ａ  洗濯機ホース
１６  カゴ
１７  再生装置
１８  プレート
１８ａ  裏面カバー部
１９  回転軸
１９ａ  軸孔
２０  オーリング
２１  ケーブル
【図１】
2006109024.tif 000003
【図２】
2006109024.tif 000004
【図３】
2006109024.tif 000005
【図４】
2006109024.tif 000006
【図５】
2006109024.tif 000007
【図６】
2006109024.tif 000008
【図７】
2006109024.tif 000009
【図８】
2006109024.tif 000010
【図９】
2006109024.tif 000011
【図１０】
2006109024.tif 000012
【図１１】
2006109024.tif 000013
【図１２】
2006109024.tif 000014